(57)【要約】【課題】脱水汚泥の安息角が大きくなっても安定的にレベル計を動作させることができる脱水汚泥フィーダを提供する。【解決手段】脱水汚泥６の堆積レベルを検出するレベル計２の測定電極部端２ａが、脱水汚泥投入口４の真下の空間の縁に接する位置となるように配置される。脱水汚泥投入口４から投入される脱水汚泥６の投入量が、脱水汚泥排出ポンプ５の排出量より多い場合、脱水汚泥フィーダ１内の脱水汚泥６は増え、レベル計２をオン（ＯＮ）とし、脱水汚泥投入口４からの投入を停止させる。これにより、脱水汚泥性状により安息角が３０〜９０°に変化する場合に、脱水汚泥６の安息角が大きくなっても安定的にレベル計を動作させることができ、脱水汚泥６が溢れ出るのを防止することができる。【選択図】図１
2010000468.tif 000002
【特許請求の範囲】
【請求項１】
脱水汚泥投入口から投入される脱水汚泥を貯留する脱水汚泥フィーダにおいて、脱水汚泥の堆積レベルを検知するレベル計の測定電極部端が脱水汚泥投入口の真下の空間の縁に接する位置となるように配置されていることを特徴とする脱水汚泥フィーダ。
【請求項２】
前記脱水汚泥投入口が長方形の投入口である場合に、前記レベル計の測定電極部端が前記長方形の長辺の中央の真下の位置となるように配置されていることを特徴とする請求項１に記載の脱水汚泥フィーダ。
【発明の詳細な説明】
【技術分野】
【０００１】
本発明は、下水処理場などにおいて運転される脱水汚泥フィーダに関する。
【背景技術】
【０００２】
図３に、従来の脱水汚泥フィーダの側面断面図を示す。
【０００３】
同図に示すように、脱水汚泥フィーダ１の上部には脱水汚泥投入口４が設けられ、さらに脱水汚泥フィーダ１の下部には脱水汚泥排出ポンプ５が設けられている。また、脱水汚泥６の堆積レベルを検出するレベル計２の測定電極部がその脱水汚泥フィーダ１の側壁から内部に突出した状態で、安息角３を設けて取り付けられている。
【０００４】
脱水汚泥６は、脱水汚泥投入口４から投入される。脱水汚泥６の投入量が、脱水汚泥排出ポンプ５の排出量より多い場合、脱水汚泥フィーダ１内の脱水汚泥６は増え、レベル計２をオン（ＯＮ）とし、脱水汚泥投入口４からの投入を停止させる。設定されたタイマー時間経過後、再び脱水汚泥６は脱水汚泥投入口４より投入される。
【０００５】
なお、脱水汚泥の堆積レベルを検出するレベル計を設け、脱水汚泥がこのレベル計で検出される堆積レベルまで達すると脱水汚泥投入口からの投入を停止させることは、例えば特許文献１に示されている。
【特許文献１】特開２００４−２４３２２３号公報（第５ページ、図１）
【発明の開示】
【発明が解決しようとする課題】
【０００６】
ところで、硬い脱水汚泥の場合は安息角が９０°位であるのに対して、軟らかい脱水汚泥の場合は安息角が３０°位と、安息角は脱水汚泥性状により、３０〜９０°に変化する。従って、安息角が極端に大きくなると、従来のような構成では、レベル計２が反応せず、脱水汚泥フィーダから脱水汚泥が溢れ出るという問題があった。
【０００７】
本発明は、従来のこのような問題点を解決するために為されたもので、脱水汚泥の安息角が大きくなっても安定的にレベル計を動作させることができる脱水汚泥フィーダを提供することを目的とする。
【課題を解決するための手段】
【０００８】
上記目的を達成するために、本発明は、脱水汚泥投入口から投入される脱水汚泥を貯留する脱水汚泥フィーダにおいて、脱水汚泥の堆積レベルを検知するレベル計の測定電極部端が脱水汚泥投入口の真下の空間の縁に接する位置となるように配置されていることを特徴とする。
【発明の効果】
【０００９】
本発明によれば、脱水汚泥の安息角が大きくなっても安定的にレベル計を動作させることができ、脱水汚泥が溢れ出るのを防止することができる。
【発明を実施するための最良の形態】
【００１０】
図１は本発明の一実施形態に係る脱水汚泥フィーダの側面断面図で、図２はその脱水汚泥フィーダの平面図である。図１、図２において、図３に示す従来例と同一部分には同一符号を付している。
【００１１】
図１および図２に示すように、脱水汚泥フィーダ１の上部には脱水汚泥投入口４が設けられ、さらに脱水汚泥フィーダ１の下部には脱水汚泥排出ポンプ５が設けられている。なお、脱水汚泥投入口４には、例えば脱水機からの脱水汚泥が投入される。また脱水汚泥排出ポンプ５により排出される脱水汚泥は、例えば脱水汚泥貯留ホッパーあるいは乾燥機などに供給される。また、脱水汚泥フィーダ１内部の下方に脱水汚泥を撹拌する手段が設けられていてもよい。
【００１２】
そして、脱水汚泥６の堆積レベルを検出するレベル計２の測定電極部が脱水汚泥フィーダ１の側壁から内部に突出した状態で取り付けられるが、このレベル計２は次のような位置に取り付けられる。例えば、脱水汚泥フィーダ１の深さは１ｍ程度であるが、レベル計２は脱水汚泥投入口４の下方２０ｃｍ位の位置に設けられ、レベル計２の測定電極部端２ａが、脱水汚泥投入口４の真下の空間の縁に接する位置となるように配置される。
【００１３】
また、例えば、脱水汚泥投入口４が、図２に示すように、長方形（長辺が４０〜５０ｃｍ、短辺が２０〜３０ｃｍ）である場合、レベル計２の測定電極部端２ａの位置は、脱水汚泥投入口４の長辺の中央の真下の位置とする。この場合、レベル計２の測定電極部端２ａから脱水汚泥フィーダ１の壁面までの測定電極部の長さは１５ｃｍ位となる。
【００１４】
なお、脱水汚泥投入口４が長方形である場合、上述のように、レベル計２の測定電極部端２ａの位置は、脱水汚泥投入口４の長辺の中央の真下の位置とするのが最適であるが、次に好ましい位置として、レベル計２の測定電極部端２ａの位置を、図２に破線で示したように、脱水汚泥投入口４の短辺の中央の真下の位置となるようにしてもよい。この場合、レベル計の測定電極部端から脱水汚泥フィーダ１の壁面までの測定電極部の長さは２０〜２５ｃｍ位となる。
【００１５】
次に、このような構成からなる本実施形態の作用について説明する。
【００１６】
脱水汚泥６は、脱水汚泥投入口４から投入される。脱水汚泥６の投入量が、脱水汚泥排出ポンプ５の排出量より多い場合、脱水汚泥フィーダ１内の脱水汚泥６は増え、レベル計２をオン（ＯＮ）とし、脱水汚泥投入口４からの投入を停止させる。設定されたタイマー時間経過後、再び脱水汚泥６は脱水汚泥投入口４より投入される。
【００１７】
本実施形態においては、レベル計２の測定電極部端２ａが、脱水汚泥投入口４の真下の空間７の縁に接する位置となるように設けられているので、安息角が９０°位の硬い脱水汚泥の場合であっても、レベル計２の測定電極部でこれを検出することができるので、脱水汚泥性状により安息角が３０〜９０°に変化する場合であっても、脱水汚泥の安息角が大きくなっても安定的にレベル計を動作させることができる。
【００１８】
特に、脱水汚泥投入口４が長方形である場合、レベル計２の測定電極部端２ａの位置を、脱水汚泥投入口４の長辺の中央の真下の位置とすることにより、安息角が３０〜９０°に変化する場合でも、安定的にレベル計２を動作させることができる。
【００１９】
なお、従来は図３に示すようにレベル計２の測定電極部端２ａを脱水汚泥投入口４の真下の空間の縁よりも壁面方向に後退させていたのを、図１に示すように本実施形態においては、レベル計２の測定電極部端２ａを脱水汚泥投入口４の真下の空間の縁に接する位置まで突出させたが、このことにより落下してくる脱水汚泥の粉末でレベル計２が誤検知する恐れがある場合には、レベル計２の感度を従来の場合より若干下げて、脱水汚泥の粉末では検知しないように調整すればよい。
【図面の簡単な説明】
【００２０】
【図１】本発明の一実施形態に係る脱水汚泥フィーダの側面断面図。
【図２】本発明の一実施形態に係る脱水汚泥フィーダの平面図。
【図３】従来の脱水汚泥フィーダの側面断面図。
【符号の説明】
【００２１】
１…脱水汚泥フィーダ
２…レベル計
２ａ…レベル計の測定電極部端
３…安息角
４…脱水汚泥投入口
５…脱水汚泥排出ポンプ
６…脱水汚泥
【図１】
2010000468.tif 000003
【図２】
2010000468.tif 000004
【図３】
2010000468.tif 000005